(57)【要約】【課題】アンテナ特性の向上及び筐体の小型化を図ることができる携帯電子機器を提供する。【解決手段】携帯電話機１は、筐体４と、筐体４の第２端部３ｄ内部に設けられたアンテナ８９と、筐体４内において、アンテナ８９よりも筐体４の第１端部３ｃ側に設けられた開閉検知スイッチ８５と、筐体４の第２端部３ｄ側の端部に対して移動可能に連結されたフリップ５とを有し、フリップ５には、突部５ｃが形成され、筐体４の第２端部３ｄ内部には、フリップ５の移動に伴って突部５ｃが入出する開口部７７ｇが形成され、筐体４内には、開口部７７ｇに突部５ｃが挿入されたときに突部５ｃにより押圧されて摺動し、開閉検知スイッチ８５を押圧する摺動部材８１が設けられている。【選択図】図４
2008211520.tif 000002
【特許請求の範囲】
【請求項１】
筐体と、
前記筐体の一端の内部に設けられたアンテナと、
前記筐体内において、前記アンテナよりも前記筐体の他端側に設けられたスイッチと、
前記筐体の前記一端に対して移動可能に連結された筐体片と、
を有し、
前記筐体片には、突部が形成され、
前記筐体の前記一端には、前記筐体片の移動に伴って前記突部が入出する開口部が形成され、
前記筐体内には、前記開口部に前記突部が挿入されたときに前記突部により押圧されて摺動し、前記スイッチを押圧する摺動部材が設けられている
携帯電子機器。
【請求項２】
前記筐体は、
前記アンテナが内部に配されるケース部材と、
前記筐体片が連結されており、前記ケース部材とで前記アンテナを挟持するように前記ケース部材に固定されているカバー部材と
を有する
請求項１に記載の携帯電子機器。
【請求項３】
前記スイッチからの検出信号が入力され、前記検出信号に基づいて前記筐体片の閉状態及び開状態の少なくとも一方を判断し、判断に応じた処理を行う制御部を有する
請求項１又は２に記載の携帯電子機器。
【請求項４】
前記筐体片は、電気部品が設けられないフリップである
請求項１〜３のいずれか１項に記載の携帯電子機器。
【請求項５】
前記筐体の前記一端から他端の方向に平行な第１面から露出するキートップと、
前記キートップの筐体内部側に配置されたキートップ用スイッチと、
前記キートップ用スイッチが配置された回路基板と
を有し、
前記筐体片は、前記一端から前記他端の方向へ直交し、前記第１面に平行な回転軸回りに、前記第１面に重なる閉位置と、前記第１面から離間した開位置との間で回転可能に前記筐体に連結され、
前記突部は、前記筐体片の、前記閉位置において前記第１面に対向する面のうち、前記回転軸側の端部において突出し、
前記開口部は、前記第１面の前記回転軸側の端部に形成され、
前記突部は、前記筐体片の開状態から閉状態への移動に伴って前記第１面側から筐体内部側へ挿入され、
前記スイッチは、前記回路基板よりも前記第１面とは反対側に配置され、
前記摺動部材は、前記回路基板を跨いで摺動し、前記スイッチを押圧する
請求項１〜４のいずれか１項に記載の携帯電子機器。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、デジタルカメラ等の携帯電子機器に関する。
【背景技術】
【０００２】
筐体と筐体片とを折り畳み可能に連結した携帯電子機器が知られている。特許文献１では、いわゆるフリップを筐体に連結した携帯電話機が開示されている。フリップは、筐体の端部に設けられている。フリップの開閉は、筐体内部に設けられたスイッチにより検出される。
【０００３】
なお、特許文献１では、アンテナは、フリップが設けられる端部とは反対側の端部、及び、フリップに設けられている。
【特許文献１】特開２０００−３４１０１７号公報
【発明の開示】
【発明が解決しようとする課題】
【０００４】
特許文献１のように、端部にフリップが設けられている携帯電話機において、そのフリップが設けられている端部にアンテナを配置すると、アンテナと、フリップの開閉を検知するスイッチとが隣接することになる。一方、携帯電子機器では、筐体の小型化が要求されている。しかし、筐体を小型化すれば、アンテナと、フリップの開閉を検知するためのスイッチやスイッチを設けるための回路基板といった電気信号の流れる電子部品とが重なり、導体としての電子部品や、電気信号の導通に伴うノイズにより当該スイッチがアンテナ特性に悪影響を及ぼすおそれがある。
【０００５】
本発明の目的は、アンテナ特性の向上及び筐体の小型化を図ることができる携帯電子機器を提供することにある。
【課題を解決するための手段】
【０００６】
本発明の携帯電子機器は、筐体と、前記筐体の一端の内部に設けられたアンテナと、前記筐体内において、前記アンテナよりも前記筐体の他端側に設けられたスイッチと、前記筐体の前記一端に対して移動可能に連結された筐体片と、を有し、前記筐体片には、突部が形成され、前記筐体の前記一端には、前記筐体片の移動に伴って前記突部が入出する開口部が形成され、前記筐体内には、前記開口部に前記突部が挿入されたときに前記突部により押圧されて摺動し、前記スイッチを押圧する摺動部材が設けられている。
【０００７】
好適には、前記筐体は、前記アンテナが内部に配されるケース部材と、前記筐体片が連結されており、前記ケース部材とで前記アンテナを挟持するように前記ケース部材に固定されているカバー部材とを有する。
【０００８】
好適には、前記スイッチからの検出信号が入力され、前記検出信号に基づいて前記筐体片の閉状態及び開状態の少なくとも一方を判断し、判断に応じた処理を行う制御部を有する。
【０００９】
好適には、前記筐体片は、電気部品が設けられないフリップである。
【００１０】
好適には、前記筐体の前記一端から他端の方向に平行な第１面から露出するキートップと、前記キートップの筐体内部側に配置されたキートップ用スイッチと、前記キートップ用スイッチが配置された回路基板とを有し、前記筐体片は、前記一端から前記他端の方向へ直交し、前記第１面に平行な回転軸回りに、前記第１面に重なる閉位置と、前記第１面から離間した開位置との間で回転可能に前記筐体に連結され、前記突部は、前記筐体片の、前記閉位置において前記第１面に対向する面のうち、前記回転軸側の端部において突出し、前記開口部は、前記第１面の前記回転軸側の端部に形成され、前記突部は、前記筐体片の開状態から閉状態への移動に伴って前記第１面側から筐体内部側へ挿入され、前記スイッチは、前記回路基板よりも前記第１面とは反対側に配置され、前記摺動部材は、前記回路基板を跨いで摺動し、前記スイッチを押圧する。
【発明の効果】
【００１１】
本発明によれば、アンテナ特性の向上及び筐体の小型化を図ることができる。
【発明を実施するための最良の形態】
【００１２】
図１は、本発明の実施形態に係る携帯電話機１（携帯電子機器）の外観を示す斜視図である。
【００１３】
携帯電話機１は、いわゆるフリップ式の携帯電話機により構成されている。すなわち、携帯電話機１は、本体部３と、本体部３に対して折り畳み可能に連結されたフリップ５とを有している。
【００１４】
フリップ５は、本体部３に対して、回転軸Ｒ１回りに回転可能である。フリップ５は、本体部３に重なる閉位置と、本体部３から離間した開位置（図１に示す位置）との間で移動可能である。なお、図１に示す携帯電話機１の状態を開状態、フリップ５が本体部３に重なる携帯電話機１の状態を閉状態ということがある。
【００１５】
本体部３は、主ケース７と、主ケース７に保持された表示部９及び操作部１１とを有している。表示部９及び操作部１１は、本体部３の正面３ａを構成している。表示部９は本体部３の第１端部３ｃ側に、操作部１１は本体部３の第２端部３ｄ側に配置されている。本体部３の正面３ａには、通話用のスピーカ１３（図７参照）の放音口１５と、通話用のマイクロフォン１７（図７参照）の収音口１９とが開口している。放音口１５は、表示部９よりも第１端部３ｃ側に、収音口１９は、操作部１１よりも第２端部３ｄ側に配置されている。本体部３の側面３ｅには、不図示の記憶媒体の挿入口２０やコネクタの挿入口（不図示）が設けられている。
【００１６】
図２は、携帯電話機１の分解斜視図である。
【００１７】
携帯電話機１の本体部３は、本体部３の背面３ｂ側（図２の紙面下方側）から、主ケース７と、種々の電気回路等を有する内部アセンブリ２１と、パッキン２３と、所定の部材を固定するための枠部材２５と、両面テープ２７と、本体部３の正面３ａを構成する正面部材グループ２９とが積層されて構成されている。
【００１８】
なお、主ケース７、及び、正面部材グループ２９の一部により、本体部３の筐体４全体が構成されている。
【００１９】
主ケース７は、リアケース３１と、リアケース３１の背面側に被せられる蓋体３３とを有している。リアケース３１及び蓋体３３は、例えば樹脂により形成されている。リアケース３１は、基部３１ａと、基部３１ａの周縁から正面３ａ側に突出する周壁部３１ｂとを有している。周壁部３１ｂは、例えば、第２端部３ｄ側を除き、基部３１ａの周縁に沿って延びている。リアケース３１において、基部３１ａに対向する面は開放されており、開放部３１ｃが形成されている。すなわち、リアケース３１は、開放部３１ｃを形成する周壁部３１ｂを有している。
【００２０】
リアケース３１の基部３１ａには、バッテリ８７（図５参照）を挿入するための開口３１ｄが形成されている。蓋体３３は、開口３１ｄを塞ぐようにリアケース３１の背面に被せられ、爪部等によりリアケース３１に対して固定される。なお、リアケース３１の基部３１ａ及び蓋体３３により本体部３の背面３ｂが構成されている。
【００２１】
なお、主ケース７の平面形状（正面３ａ又は背面３ｂから見た形状）は適宜であるが、例えば長方形である。リアケース３１の第１端部３ｃ側（図２の紙面右側）には、報知用のスピーカ３５が放音面を基部３１ａ側にして取り付けられている。リアケース３１の基部３１ａには、スピーカ３５の不図示の放音口が開口している。リアケース３１の第２端部３ｄ側（図２の紙面左側）には、電波を利用した無線通信用の内部アンテナ８９（図７参照）等が取り付けられる凹部３１ｅが形成されている。
【００２２】
内部アセンブリ２１は、例えば、主ケース７に嵌合する大きさを有するフレーム４４に、適宜に回路基板や電子部品が固定されることにより構成されている。
【００２３】
例えば、内部アセンブリ２１は、フレーム４４の第１端部３ｃ側（図２の紙面右側）の正面３ａ側（図２の紙面上方側）に配置される表示器５３と、フレーム４４の第１端部３ｃ側（図２の紙面右側）の背面３ｂ側（図２の紙面下方側）に配置される回路基板４１と、フレーム４４の第２端部３ｄ（図２の紙面左側）に配置されるＦＰＣ（フレキシブルプリント配線板）４３とを有している。なお、ＦＰＣ４３は、フレーム４４に巻かれるように配置されており、フレーム４４の正面３ａ側（図２の紙面上方）に配置される第１実装部４３ａと、フレーム４４の背面３ｂ側（図２の紙面下方側）に配置される第２実装部４３ｂ（図２においては不図示。図５参照）とを有している。
【００２４】
回路基板４１は、例えば、硬質の樹脂をベースとしたプリント配線基板により構成されている。回路基板４１には、例えば、表示器５３を制御するためのＩＣや無線通信を行うための高周波回路等が設けられている。ＦＰＣ４３の第１実装部４３ａには、複数のスイッチ５５や複数のＬＥＤ６１が設けられている。ＦＰＣ４３の第２実装部４３ｂには、例えば、ＦＰＣ４３と回路基板４１とを接続する不図示のコネクタやマイクロフォン１７（図７参照）が設けられている。表示器５３は、例えば、液晶ディスプレイや有機ＥＬディスプレイにより構成されている。
【００２５】
フレーム４４は、表面又は全体に導電性を有している。例えば、フレーム４４は、全体が金属により構成されている。又は、フレーム４４は、樹脂材料に導電材料が塗布されて構成されている。フレーム４４は、回路基板４１やＦＰＣ４３のグランドラインに接続されており、回路基板４１やＦＰＣ４３をシールドするシールドケースとしても機能している。
【００２６】
枠部材２５は、例えば、板金により構成されている。枠部材２５が表示器５３及びフレーム４４に被せられ、枠部材２５の第１固定部２５ｂ及び第３固定部２５ｃがフレーム４４のネジボス４４ｔ及び係合部４４ｕに係合することにより、表示器５３のフレーム４４からの脱落が防止される。
【００２７】
パッキン２３は、例えば、スポンジやゴム等の弾性部材により構成されている。パッキン２３は、枠部材２５と、表示器５３及び／又はフレーム４４との間に挟まれ、これらの部材に当接する。
【００２８】
正面部材グループ２９は、表示器５３を保護するための透光板６５と、所定の隙間や部材を隠す被覆部材６７と、ユーザの操作を受け付けるための操作部材６９と、カバー部材７７とを有している。なお、これらの部材により本体部３の正面３ａが構成されることを分かり易く説明するために、これらの部材を正面部材グループ２９として概念化したが、これらの部材は、直接的に互いに固定されているわけではない。
【００２９】
透光板６５は、リアケース３１の開放部３１ｃのうち第１端部３ｃ側に嵌合する大きさ及び形状に形成されている。透光板６５は、両面テープ２７によって枠部材２５に対して固定される。なお、透光板６５は、両面テープに代えて、接着剤等の他の接着部材により枠部材２５に固定されてもよい。
【００３０】
被覆部材６７は、例えば、樹脂により形成されている。被覆部材６７は、透光板６５と、操作部材６９の後述するキートップ７１との間に配置されている。被覆部材６７は、例えば、後述する骨部材７３に両面テープや接着剤により固定されている。
【００３１】
操作部材６９は、例えば、図２の紙面下方側から、複数のスイッチ５５に被せられるキーシート７５と、キーシート７５をフレーム４４側に押さえつけて固定する骨部材７３と、骨部材７３上に配置され、骨部材７３に形成された孔部７３ｈ（図５参照）を介してキーシート７５に接着されたキートップ７１とを有している。骨部材７３は、キーシート上に配置される部分の縁部からフレーム４４側に突出する第２固定部（カバー部材７７に隠れて不図示）と、第４固定部７３ｃとを有している。第２固定部及び第４固定部７３ｃは、枠部材２５の第１固定部２５ｂ及び第３固定部２５ｃと同様に、フレーム４４のネジボス４４ｔ及び係合部４４ｕに係合する。
【００３２】
上述のように、内部アセンブリ２１に枠部材２５及び操作部材６９が取り付けられ、これらはリアケース３１内に挿入される。そして、ネジ７９が、リアケース３１の周壁部３１ｂに挿通されるとともに、枠部材２５の第１固定部２５ｂ及び骨部材７３の第２固定部に挿通され、フレーム４４のネジボス４４ｔに螺合されることにより、携帯電話機１は、カバー部材７７及びフリップ５以外の部分が組み立てられる。
【００３３】
図３は、カバー部材７７及びフリップ５を取り外して示す分解斜視図である。
【００３４】
フリップ５は、例えば、樹脂により構成されている。フリップ５は、板状部５ａと、板状部５ａの端部に設けられたヒンジ部５ｂとを有している。板状部５ａは、例えば、矩形に形成されており、操作部１１を覆うことができる広さを有している。ヒンジ部５ｂは、例えば円筒状に形成されている。ヒンジ部５ｂの両端には、内部にヒンジパーツ７６（図４も参照）がそれぞれ設けられている。
【００３５】
ヒンジパーツ７６は、例えば、特に図示しないが、ヒンジ部５ｂに対して固定される部材と、カバー部材７７に固定される部材とを有しており、これらの部材は回転軸Ｒ１回りに相対回転可能に構成されている。なお、ヒンジ部５ｂの両端に設けられる２つのヒンジパーツ７６のうち、一方には、閉位置や開位置にフリップ５を係止するとともに、閉位置又は開位置からフリップ５を移動させたときにクリック感を生じさせるクリック機構が設けられている。
【００３６】
カバー部材７７は、例えば、樹脂により構成されている。図２及び図３に示すように、カバー部材７７は、例えば、携帯電話機１の本体部３の正面３ａの第２端部３ｄ側の部分を構成する正面部７７ａと、正面部７７ａに連続し、本体部３の第２端部３ｄ側の端面のうち、図２の上方側（正面３ａ側）の部分を構成する端面部７７ｂ（図２）と、本体部３の左右方向（第１端部３ｃから第２端部３ｄへの方向に直交する方向、図２及び図３の左上から右下への方向）において端面部７７ｂを挟んで対向する２つのヒンジ取付部７７ｃ（図２）とを有している。なお、カバー部材７７は、本体部３の筐体４の一部を構成している。
【００３７】
正面部７７ａは、例えば、本体部３の左右方向（図２及び図３の左上から右下への方向）を長手方向とする長尺状に形成されている。正面部７７ａの正面３ａ側の面は、例えば、平面に形成されている。端面部７７ｂは、例えば、正面部７７ａと同等の長さを有する長尺状に形成されている。端面部７７ｂは、例えば、正面３ａ側から背面３ｂ側へ筐体外部側を凹とするスロープを形成するように曲面状に形成されている。ヒンジ取付部７７ｃは、例えば、端面部７７ｂの曲面により形成された凹部の側方を塞ぐ大きさ及び形状に形成されている。
【００３８】
カバー部材７７は、リアケース３１側に突出するネジボス７７ｄを有している。ネジボス７７ｄは、例えば、図２に示すように、ヒンジ取付部７７ｃの外側に一つ、図３に示すように、端面部７７ｂの内側に一つ、合計２つ設けられている。カバー部材７７は、リアケース３１内に挿入され、リアケース３１に挿通された不図示のネジがネジボス７７ｄに螺合されることにより、リアケース３１に固定される。なお、正面部７７ａは、リアケース３１の周壁部３１ｂの頂部と面一になる。端面部７７ｂ及びヒンジ取付部７７ｃは、リアケース３１の周壁部３１ｂのうち第２端部３ｄ側の部分に形成された切り欠き部３１ｆに嵌合し、周壁部３１ｂの第２端部３ｄ側の部分に連続する。
【００３９】
フリップ５と、カバー部材７７とは、カバー部材７７がリアケース３１に固定される前又は後において、フリップ５に挿入されたヒンジパーツ７６がカバー部材７７のヒンジ取付部７７ｃの互いに対向する面に固定されることにより、回転軸Ｒ１回りに相対回転可能に連結される。ヒンジパーツ７６とヒンジ取付部７７ｃとは、例えば、ヒンジパーツ７６がヒンジ取付部７７ｃに形成された孔部７７ｅ（図４参照）に挿入されることにより固定される。なお、フリップ５及びヒンジパーツ７６のカバー部材７７への取付と、カバー部材７７のリアケース３１への取付とは、いずれが先に行われてもよいが、フリップ５及びヒンジパーツ７６のカバー部材７７への取付を先に行ったほうが、当該取付が容易であり、ひいては、全体として取付が容易になる。
【００４０】
リアケース３１と、カバー部材７７との間には、摺動部材８１と、バネ８３とが設けられている。
【００４１】
図４は、摺動部材８１及びバネ８３の周辺を拡大して示す分解斜視図である。
【００４２】
本体部３の内部には、第２端部３ｄ側に、フリップ５の開閉を検知するための開閉検出スイッチ８５が設けられている。摺動部材８１は、開閉検出スイッチ８５を操作するための部材であり、バネ８３は、摺動部材８１を所定位置へ付勢するためのものである。
【００４３】
開閉検出スイッチ８５は、例えば、いわゆるレバースイッチにより構成されている。すなわち、本体部８５ａと、本体部８５ａから突出するレバー８５ｂとを有している。そして、本体部８５ａに対するレバー８５ｂの揺動により、スイッチがオン・オフされる。本体部８５ａは、例えば、外部へ突出する第１端子８５ｃ及び第２端子８５ｄを有している。本体部８５ａの内部には、特に図示しないが、第１端子８５ｃ及び第２端子８５ｄの一方に接続された固定接点と、他方に接続されるとともにレバー８５ｂに連結された可動接点とが設けられている。そして、レバー８５ｂの揺動により、固定接点と可動接点とが当接又は離間する。
【００４４】
開閉検出スイッチ８５は、例えば、携帯電話機１の本体部３に対して、第１端部３ｃ側（図４の左下側）に本体部８５ａが、第２端部３ｄ側（図４の右上側）にレバー８５ｂが位置するように、本体部３に設けられている。レバー８５ｂは、本体部３の第１端部３ｃ側から第２端部３ｄへの方向及び回転軸Ｒ１（図１）に直交する方向（図４の上下方向）が操作方向になっている。すなわち、レバー８５ｂは、回転軸Ｒ１と平行な軸回りに揺動する。なお、レバー８５ｂが正面３ａ側（図４の上方側）に移動した位置を非押圧位置、レバー８５ｂが背面３ｂ側（図４の下方側）に移動した位置を押圧位置ということがある。非押圧位置及び押圧位置のいずれが開閉検出スイッチ８５のオンに対応していてもよい。レバー８５ｂは、例えば、開閉検出スイッチ８５の本体部８５ａの内部に設けられた不図示のバネ等の付勢手段（接点を兼ねていてもよい）により、押圧位置から非押圧位置へ復帰可能に構成されている。第１端子８５ｃ及び第２端子８５ｄは、背面３ｂ側から正面３ａ側へ（図４の紙面上方へ）突出している。
【００４５】
摺動部材８１は、例えば、樹脂により形成されている。摺動部材８１は、例えば、全体形状が概ね板状に形成されている。摺動部材８１は、例えば、基部８１ａと、基部８１ａから正面３ａ側（図４の上方側）に突出する第１突出部８１ｂと、基部８１ａから背面３ｂ側（図４の下方側）に突出する第２突出部８１ｃとを有している。
【００４６】
基部８１ａは、例えば、概ね矩形の平板状に形成されている。基部８１ａは、例えば、第１端部３ｃ側から第２端部３ｄ側への方向（図４の左下から右上への方向）に直交するように配置されている。基部８１ａは、カバー部材７７がリアケース３１に固定されると、カバー部材７７に設けられたガイド部７７ｆに嵌合する。ガイド部７７ｆは、例えば、カバー部材７７の正面部７７ａの内側面から筐体内部方向（図４の紙面下方）に突出するとともに、正面部７７ａに沿って摺動部材８１を囲むように延びるリブにより構成されており、基部８１ａを収容可能な凹部を有している。基部８１ａは、ガイド部７７ｆの凹部に嵌合することにより、携帯電話機１の本体部３内に保持される。また、基部８１ａは、側面等がガイド部７７ｆに摺動することにより、図４の紙面上下方向に移動可能にガイド部７７ｆに案内される。なお、基部８１ａは、図４の紙面奥手側の面に、第１突出部８１ｂの延長線上が肉厚（第１突出部８１ｂと同一の厚さ）に形成されるように不図示の突条部が形成されており、当該突条部もガイド部７７ｆの一部に案内される。
【００４７】
第１突出部８１ｂは、例えば、矩形の平板状に形成されている。カバー部材７７のうち第１突出部８１ｂに対向する位置には、第１突出部８１ｂが入出可能な開口部７７ｇが形成されている。開口部７７ｇは、正面部７７ａ及び端面部７７ｂの角部に、正面部７７ａ及び端面部７７ｂに亘って形成されている。なお、正面部７７ａは、本体部３の筐体４のフリップ５と重なる面を構成しているから、開口部７７ｇは、筐体４の回転軸Ｒ１側の端部に形成されていることになる。
【００４８】
フリップ５のヒンジ部５ｂの外周面には、開口部７７ｇに対して回転軸Ｒ１の軸方向において同位置となる位置に、回転軸Ｒ１の径方向に突出する突部５ｃが形成されている。なお、突部５ｃは、フリップ５の、閉位置において筐体４の正面に対向する面のうち、回転軸Ｒ１側の端部に設けられていると捉えることもできる。突部５ｃは、フリップ５が開位置から閉位置へ移動すると、開口部７７ｇに入り込み、摺動部材８１の第１突出部８１ｂに当接して摺動部材８１を筐体内部側へ押し込み、フリップ５が閉位置から開位置へ移動すると、第１突出部８１ｂ及び開口部７７ｇから離間する。
【００４９】
第２突出部８１ｃは、摺動部材８１とバネ８３とを連結するための部位である。
【００５０】
バネ８３は、例えば、いわゆる捩りバネにより構成されている。すなわち、金属等の適宜な材料により形成された線材を巻き回して構成されており、コイル部８３ａと、第１端部８３ｂと、第２端部８３ｃとを有している。バネ８３は、コイル部８３ａにおける巻き締め力又は巻き戻し力により、第１端部８３ｂ及び第２端部８３ｃを周方向に付勢する力を発揮する。図４では、巻き戻し力により、第１端部８３ｂ及び第２端部８３ｃを周方向に近接させる付勢力が発揮される捩りバネによりバネ８３を構成した場合を例示している。
【００５１】
コイル部８３ａは、例えば、カバー部材７７の内側面に設けられ、第２端部３ｄから第１端部３ｃへの方向へ（図４の右上から左下へ）突出する軸部７７ｈが挿入されて、巻き戻し力を発揮可能にカバー部材７７に対して固定される。なお、軸部７７ｈは、例えば、ヒンジ取付部７７ｃよりも筐体内部側（図４の左上側）に配置されている。
【００５２】
第１端部８３ｂは、例えば、コイル部８３ａから正面３ａ側へ（図４の上方側へ）延び、軸部７７ｈと、ヒンジ取付部７７ｃのうち軸部７７ｈに対向する面との間に配置される。従って、第１端部８３ｂは、ヒンジ取付部７７ｃのうち軸部７７ｈに対向する面に係合し、第２端部８３ｃ側への移動が規制される。
【００５３】
第２端部８３ｃは、例えば、コイル部８３ａから回転軸Ｒ１方向の筐体中央側（図４の右下側）へ延び、第２突出部８１ｃに連結される。第２突出部８１ｃには、回転軸Ｒ１方向（図４の右下から左上への方向）に貫通する挿通孔８１ｄ（図５参照）が形成されている。第２端部８３ｃは、挿通孔８１ｄに挿通される。従って、第２端部８３ｃは、挿通孔８１ｄに係合し、コイル部８３ａによって生じた付勢力により、摺動部材８１を正面３ａ側（図４の上方側）に付勢する。
【００５４】
図５は、図１のＶ−Ｖ線における断面図である。ただし、フリップ５は閉位置に配置されている。
【００５５】
上述のように、主ケース７は、リアケース３１と蓋体３３とを有している。主ケース７内部では、蓋体３３側から、バッテリ８７、内部アセンブリ２１、操作部材６９、フリップ５の板状部５ａが積層されている。上述のように、内部アセンブリ２１は、フレーム４４と、フレーム４４の正面３ａ側（図５の上方側）に設けられた第１実装部４３ａと、フレーム４４の背面３ｂ側（図５の下方側）に設けられた第２実装部４３ｂとを有している。、第１実装部４３ａには、複数のスイッチ５５が設けられている。複数のスイッチ５５に被せられる操作部材６９は、キートップ７１、骨部材７３、キーシート７５を有している。
【００５６】
開閉検出スイッチ８５は、例えば、第２実装部４３ｂに実装されている。すなわち、第１端子８５ｃ及び第２端子８５ｄは、第２実装部４３ｂに接続されている。第１端子８５ｃ及び第２端子８５ｄの第２実装部４３ｂへの実装は適宜になされてよい。例えば、第１端子８５ｃ及び第２端子８５ｄは、半田により第２実装部４３ｂに固定及び電気的に接続されている。なお、第２実装部４３ｂは、フレーム４４に対して両面テープや接着材等の適宜な固定部材により固定されている。また、開閉検出スイッチ８５は、リアケース３１の内側面（例えば、バッテリ８７を収納する収納部を形成する部分）と、フレーム４４とに挟持されていてもよい。
【００５７】
開閉検出スイッチ８５の本体部８５ａは、図５の上下方向に見て（携帯電話機１の正面３ａ側から背面３ｂ側に見て）、操作部材６９（キートップ７１、骨部材７３、キーシート７５）と重なる位置に配置されている。また、スイッチ５５と重なる位置に配置されている。レバー８５ｂは、操作部材６９に重なる位置から、第２端部３ｄ側（図５の右側）へ、操作部材６９と重ならない位置まで延びている。
【００５８】
摺動部材８１は、図５の上下方向に見て、操作部材６９と重ならず、レバー８５ｂと重なる位置に配置されている。カバー部材７７は、正面部７７ａや端面部７７ｂが２層構造になっている。カバー部材７７の開口部７７ｇは、図５の上下方向に見て、摺動部材８１と重なる位置に形成されている。
【００５９】
フリップ５が開位置にある場合、図５において、２点差線で示すように、開閉検出スイッチ８５のレバー８５ｂは、本体部８５ａ内部の不図示の付勢手段により非押圧位置に位置している。また、摺動部材８１は、バネ８３の付勢力により、図５で示す位置よりも正面３ａ側（図５の上方側）に位置している。なお、このとき、摺動部材８１の突出部８１ｂは、例えば、カバー部材７７の正面３ａ側の面と面一になっており、開口部７７ｇは目立たなくなっている。
【００６０】
フリップ５が閉位置へ移動すると、図５に示すように、突部５ｃが開口部７７ｇに入り込み、突出部８１ｂに当接する。摺動部材８１は、バネ８３の付勢力に抗して筐体内部側へ押し込まれ、基部８１ａの下部がレバー８５ｂに当接して、レバー８５ｂを押圧位置へ移動させる。そして、開閉検出スイッチ８５は、オン（又はオフ）される。これにより、フリップ５が開位置から閉位置へ移動したことが検出される。フリップ５が開位置へ移動したときは、フリップ５の突部５ｃは開口部７７ｇから退避し、摺動部材８１はバネ８３の付勢力により図５の上方へ復帰し、レバー８５ｂは本体部８５ａの不図示の付勢手段により非押圧位置へ復帰し、開閉検出スイッチ８５は、オフ（又はオン）される。これにより、フリップ５が閉位置から開位置へ移動したことが検出される。
【００６１】
図６は、携帯電話機１のアンテナ８９の概略構成を説明する図である。図６（ａ）は、携帯電話機１の第２端部３ｄ側且つ正面３ａ側から見た斜視図である。図６（ｂ）は、携帯電話機１の正面３ａ側から見た平面図である。
【００６２】
図６（ａ）に示すように、アンテナ８９は、樹脂などの絶縁性材料により形成された基部８９ａと、基部８９ａに導電層が形成されることにより構成されたアンテナ素子８９ｂと、基部８９ａに導電層が形成されることにより構成され、アンテナ素子８９ｂと連続する端子部８９ｃとを有している。
【００６３】
基部８９ａは、例えば、携帯電話機１の第２端部３ｄに沿って配置される長尺状に形成されている。また、基部８９ａは、回転軸Ｒ１に直交する断面が、概ねＬ字に形成されており、第２端部３ｄ側に面する第１構成部８９ｄと、背面３ｂ側に面する第２構成部８９ｅとを有している。アンテナ素子８９ｂは、第１構成部８９ｄの第２端部３ｄ側の面に配置されている。端子部８９ｃは、第２構成部８９ｅの正面３ａ側の面に配置されている。
【００６４】
アンテナ８９は、リアケース３１の凹部３１ｅ（図２）に配置される。そして、リアケース３１内に形成された支柱Ｗが、アンテナ８９の開口８９ｆに嵌入する等してカバー部材７７がリアケース３１に固定されることにより、リアケース３１とカバー部材７７とに挟持され、携帯電話機１の筐体４に固定される。なお、リアケース３１とアンテナ８９とは適宜な位置で当接してよく、また、アンテナ８９とカバー部材７７とは適宜な位置で当接してよい。例えば、図５においては、アンテナ８９の第２構成部８９ｅの背面３ｂ側の面がリアケース３１の内面に当接し、アンテナ８９の第１構成部８９ｄの正面３ａ側の面（端部）Ｙがカバー部材７７の端面部７７ｂの内側面Ｘに当接する。図示省略するが、ヒンジ取付部７７ｃの背面３ｂ側の面にて当接してもよい。なお、アンテナ８９の基部８９ａやカバー部材７７等に適宜な位置にリブ等が設けられて接触面積を大きくしたり、互いに嵌合するようにされてもよい。
【００６５】
アンテナ素子８９ｂは、第２端部３ｄに沿って配置されている。端子部８９ｃは、アンテナ素子８９ｂよりも若干筐体中央側に位置している。開閉検知スイッチ８５は、アンテナ８９よりも第１端部３ｃ側（図６（ｂ）の上方側）に配置されている。正面３ａから背面３ｂの方向（図６（ａ）における上下方向）に見て、開閉検出スイッチ８５の本体部８５ａは、アンテナ素子８９ｂとも、端子部８９ｃとも重なっていない。換言すれば、第１端部３ｃから第２端部３ｄの方向（図６（ｂ）の上下方向）において、開閉検出スイッチ８５の本体部８５ａは、アンテナ素子８９ｂ及び端子部８９ｃから離間している。また、正面３ａから背面３ｂの方向（図６（ａ）における上下方向）に見て、開閉検出スイッチ８５のレバー８５ｂは、アンテナ素子８９ｂと重なっていない。
【００６６】
図７は、携帯電話機１の信号処理系の構成を示すブロック図である。
【００６７】
携帯電話機１は、ＣＰＵ１０１、メモリ１０３、通信処理部１０５、音響処理部１０７及び画像処理部１０９等を備えている。これら各部は例えば回路基板４１に設けられたＩＣにより構成されている。
【００６８】
ＣＰＵ１０１及びメモリ１０３は、操作部１１（６９）等の各種手段からの信号に基づいて所定の演算を行い、画像処理部１０９等の各種手段の制御を実行する制御部として機能する。
【００６９】
通信処理部１０５は、高周波回路を含んで構成されている。通信処理部１０５は、電波を利用した遠距離無線通信を行うために、ＣＰＵ１０１で処理された音響データ、画像データ等の各種データを変調して、アンテナ８９を介して送信する。また、通信処理部１０５は、アンテナ８９を介して受信した信号を復調してＣＰＵ１０１に出力する。
【００７０】
音響処理部１０７は、ＣＰＵ１０１からの音響データを電気信号に変換して通話用のスピーカ１３、着信等を報知するためのスピーカ３５に出力する。スピーカ１３及びスピーカ３５は、音響処理部１０７からの電気信号を音響に変換して出力する。一方、マイクロフォン１７は、入力された音響を電気信号に変換して音響処理部１０７に出力する。音響処理部１０７は、マイクロフォン１７からの電気信号を音響データに変換してＣＰＵ１０１に出力する。
【００７１】
画像処理部１０９は、ＣＰＵ１０１からの画像データを画像信号に変換して表示部９へ出力する。また、所定のカメラモジュール１１１から出力される撮像信号（画像データ）を所定のフォーマットの画像データに変換してＣＰＵ１０１へ出力する。
【００７２】
開閉検出スイッチ８５は、上述のように、フリップ５の開閉に伴ってレバー８５ｂが駆動され、オン・オフされる。換言すれば、フリップ５の開閉に伴って、開閉検出スイッチ８５において、検出信号が生成、出力される。ＣＰＵ１０１は、開閉検出スイッチ８５からの検出信号に基づいて、携帯電話機１の開状態及び閉状態の少なくとも一方を検出する。ただし、開閉検出スイッチ８５がオン・オフされるのは、フリップ５が閉位置付近にあるときであるから、正確に検出できるのは閉状態や閉状態の解除である。すなわち、開閉検出スイッチ８５に基づいて検出される開状態には、開状態と閉状態との間の移行状態も含まれてしまう。
【００７３】
ＣＰＵ１０１は、フリップ５の開閉の検出に基づいて所定の処理を実行する。例えば、ＣＰＵ１０１は、閉状態を検出したときは、表示部９の輝度を下げ、開状態を検出したときは、表示部９の輝度を上げる。また、例えば、ＣＰＵ１０１は、着信中に閉状態から開状態への移行を検出した場合には、送信元との回線を接続し、通話用のスピーカ１３及びマイクロフォン１７による通話を可能とする処理を実行し、通話中に閉状態から開状態への移行を検出した場合には、回線を切断して、通話用のスピーカ１３及びマイクロフォン１７による通話を終了する処理を実行する。
【００７４】
以上の実施形態によれば、筐体４と、筐体４の一端（第２端部３ｄ）の内部に設けられたアンテナ８９と、筐体４内の、アンテナ８９よりも筐体４の他端側（第１端部３ｃ側）に設けられた開閉検出スイッチ８５と、筐体４の一端に対して移動可能に連結されたフリップ５とを有し、フリップ５には、突部５ｃが形成され、筐体４の一端（第２端部３ｄ）には、フリップ５の移動に伴って突部５ｃが入出方向に移動する開口部７７ｇが形成され、筐体４内には、開口部７７ｇに突部５ｃが挿入されたときに突部５ｃにより押圧されて摺動し、開閉検出スイッチ８５を押圧する摺動部材８１が設けられているから、フリップ５の運動が、突部５ｃ及び摺動部材８１により開閉検出スイッチ８５まで伝達されることになり、開閉検出スイッチ８５をより筐体内部側に設けてフリップ５から離間させることができ、ひいては、開閉検出スイッチ８５を、フリップ５と隣接して設けられたアンテナ８９から離間させることができる。従って、フリップ５とアンテナ８９とを隣接させて筐体の小型化を図っても、アンテナ上の重なる位置に、スイッチや、それを設けるための基板のような電気部品を配さないよう構成できるので、アンテナ特性上影響なく、アンテナ特性の低下が抑制される。さらに、フリップ５により開閉検出スイッチ８５を押圧する押し子を、筐体４外部の突部５ｃと、筐体４内部の摺動部材８１とに分割したことになるから、従来に比較して、開口部７７ｇや突部５ｃを大きく形成する必要がなく、開口部７７ｇからの水分や埃の侵入が防止されるとともに、意匠性も向上する。フリップ５から開閉検知スイッチ８５へ運動を伝達する部材を、摺動する部材としたことから、歯車や梃子により運動を伝達するような場合に比較して構成が簡素であり、フリップ５から開閉検知スイッチ８５までの距離が比較的小さく、部材が非常に小さくなる場合であっても成形が容易である。
【００７５】
筐体４は、主ケース７（リアケース３１）と、フリップ５が連結され、主ケース７とでアンテナ８９を挟持するように主ケース７に固定されるカバー部材７７とを有することから、カバー部材７７は、フリップ５の取付部材と、アンテナ８９の取付部材とを兼ねることになり、筐体４の小型化が図られるとともに、フリップ５の固定とアンテナ８９の固定とを同時に行うことができ、組み立てが容易になる。
【００７６】
携帯電話機１は、開閉検出スイッチ８５からの検出信号が入力され、検出信号に基づいてフリップ５の閉状態及び開状態の少なくとも一方を検知するＣＰＵ１０１を有することから、フリップ５の開状態又は閉状態に応じた適宜な動作を行うことができる。
【００７７】
フリップ５は、突部５ｃを設けさえすればよいため、電気部品を設ける必要がなくなる。また、フリップ５は、電気部品が設けられない筐体片であることから、フリップ５の開閉によってアンテナ８９の特性に影響が生じることもない。従って、フリップ５が閉じられることによる操作部１１の誤入力の防止が、アンテナ特性に影響を及ぼすことなく行われる。
【００７８】
携帯電話機１は、筐体４の一端（第２端部３ｄ）から他端（第１端部３ｃ）の方向に平行な正面３ａから露出するキートップ７１と、キートップ７１の筐体内部側に配置されたキートップ用のスイッチ５５と、スイッチ５５が配置された第１実装部４３ａとを有し、フリップ５は、第２端部３ｄから第１端部３ｃの方向へ直交し、正面３ａに平行な回転軸Ｒ１回りに、正面３ａに重なる閉位置と、正面３ａから離間した開位置との間で回転可能に筐体４に連結され、突部５ｃは、フリップ５の板状部５ａの回転軸Ｒ１側の端部において突出し、開口部７７ｇは、正面３ａの回転軸Ｒ１側の端部に形成され、突部５ｃは、フリップ５の開位置から閉位置への移動に伴って正面３ａ側から筐体内部側へ挿入され、開閉検出スイッチ８５は、第１実装部４３ａよりも正面３ａとは反対側に配置され、摺動部材８１は、第１実装部４３ａを跨いで摺動し、開閉検出スイッチ８５を押圧することから、開閉検出スイッチ８５は、開口部７７ｇから、より筐体内部側に移動した位置に配置可能になり、設計の自由度が向上する。
【００７９】
なお、以上の実施形態において、携帯電話機１は、本発明の携帯電子機器の一例であり、フリップ５は、本発明の筐体片の一例であり、主ケース７又はリアケース３１は本発明のケース部材の一例であり、ＣＰＵ１０１は、本発明の制御部の一例であり、スイッチ５５は、本発明のキートップ用スイッチの一例であり、第１実装部４３ａは、本発明の回路基板の一例である。
【００８０】
本発明は、以上の実施形態に限定されず、種々の態様で実施されてよい。
【００８１】
携帯電子機器は、携帯電話機に限定されない。例えば、電子機器は、ノートパソコン、ＰＤＡ（Ｐｅｒｓｏｎａｌ  Ｄｉｇｉｔａｌ  Ａｓｓｉｓｔａｎｔ）、デジタルカメラ、ゲーム機であってもよい。
【００８２】
筐体片は、フリップに限定されない。一の筐体に対して移動可能に取り付けられるものであればよい。従って、例えば、折り畳み可能に連結された２つの筐体の一方であってもよいし、互いにスライド可能に連結された２つの筐体の一方であってもよい。なお、この場合も、アンテナが配置される筐体においては、他の筐体が連結される部分によってアンテナが挟持される構成とされてよい。
【００８３】
筐体は、ケース部材（実施形態では、主ケース７又はリアケース３１）と、カバー部材（７７）とにより構成されるものに限定されない。例えば、互いに概ね同等の大きさを有するフロントケースとリアケースとにより構成されるものであってもよい。
【００８４】
スイッチ（開閉検出スイッチ）は、レバースイッチに限定されない。押圧力を利用してオン及び／又はオフを行うことができるものであればよい。例えば、ドームスイッチ等の押圧スイッチであってもよいし、ディップスイッチであってもよい。アンテナは、基部（基板）に導電層が配置されたものに限定されない。例えば、チップアンテナやポールアンテナであってもよい。摺動部材は、筐体片に形成された突部の運動を伝達可能に移動可能であれば、どのような形状に形成されていてもよい。
【図面の簡単な説明】
【００８５】
【図１】本発明の実施形態の携帯電話機の外観を示す斜視図。
【図２】図１の携帯電話機の分解斜視図。
【図３】図１の携帯電話機のフリップ周辺の分解斜視図。
【図４】図３の拡大図。
【図５】図１のＶ−Ｖ線における断面図。
【図６】図１の携帯電話機のアンテナの構成の概略を説明する図。
【図７】図１の携帯電話機の信号処理系の構成を示すブロック図。
【符号の説明】
【００８６】
１…携帯電話機（携帯電子機器）、４…筐体、５…フリップ（筐体片）、５ｃ…突部、７７ｇ…開口部、８１…摺動部材、８５…開閉検出スイッチ（スイッチ）、８９…アンテナ。
【図１】
2008211520.tif 000003
【図２】
2008211520.tif 000004
【図３】
2008211520.tif 000005
【図４】
2008211520.tif 000006
【図５】
2008211520.tif 000007
【図６】
2008211520.tif 000008
【図７】
2008211520.tif 000009